(57)【要約】      （修正有）【課題】宿泊施設の魅力を向上させながら、人件費の削減を図る。【解決手段】宿泊手続き補助システム１０は、少なくとも１台の応対ロボット１２、応対ロボット１２毎に設置される精算装置１４、データ管理手段１６を含んでいる。応対ロボット１２は、宿泊施設のフロントカウンターに設置され、宿泊者に対する応対を行うものであり、精算装置１４は、宿泊者からの入力操作を受けて、データ管理手段１６から参照する、宿泊業務に必要な宿泊者の各情報を含む宿泊者情報に基づき、宿泊代金や追加代金等の精算手続きを行う。【効果】宿泊手続きを行う宿泊者は、フロントカウンターにおいて応対ロボット１２による接客を受けながら、精算装置１４によりスムーズに手続きを行うことができる。従って、応対ロボット１２等によって魅力を向上させながらも、フロント業務の一部を自動化することで、人件費の削減を図ることができる。【選択図】図１
2017111489.tif 000002
【特許請求の範囲】
【請求項１】
宿泊施設における宿泊手続きを補助するシステムであって、
前記宿泊施設のフロントカウンターに設置され、宿泊者に対する応対を行う少なくとも１台の応対ロボットと、該応対ロボット毎に設置され、精算手続きを行うための精算装置と、宿泊者に係る宿泊者情報の保持及び管理を行うデータ管理手段とを含み、
前記応対ロボットは、複数の可動部と音声出力手段とを備え、前記複数の可動部の動作を組み合わせながら、前記音声出力手段から出力する音声によって、宿泊者に対して宿泊手続きに係る各作業を促し、
前記精算装置は、宿泊者からの入力操作を受けて、前記データ管理手段から参照する前記宿泊者情報に基づいて精算手続きを行い、
前記データ管理手段は、前記精算装置を介して行われた精算手続きに応じて、前記宿泊者情報を更新することを特徴とする宿泊手続き補助システム。
【請求項２】
前記宿泊施設の従業員による宿泊手続きの確認作業を補助する従業員補助装置を含み、
該従業員補助装置は、前記フロントカウンターの様子を撮影する撮影手段と、該撮影手段により撮影された映像を従業員に対して表示する表示手段と、前記フロントカウンターにいる宿泊者と従業員との間で音声通信を行うための音声入出力手段と、前記データ管理手段により保持されている前記宿泊者情報にアクセスするアクセス手段と、を備えることを特徴とする請求項１記載の宿泊手続き補助システム。
【請求項３】
前記精算装置は、
宿泊者の入力操作に応じて、チェックイン手続きとチェックアウト手続きとを実行するものであり、
前記チェックイン手続きにおいて、宿泊者から宿泊者を特定するための情報の入力を受けた後、前記データ管理手段において検索された前記宿泊者情報に基づいて宿泊代金の精算状況の確認を行い、宿泊代金が精算済みである場合は、宿泊者が宿泊する客室のルームキーを即座に発行し、宿泊代金が未精算である場合は、宿泊者からの入金操作を受けて宿泊代金の精算手続きを行った後、前記ルームキーを発行し、
前記チェックアウト手続きにおいて、前記ルームキーから宿泊者を特定するための情報を読み取った後、前記データ管理手段において検索された前記宿泊者情報に基づいて追加代金の精算状況の確認を行い、追加代金が精算済みである場合は、チェックアウト手続きの終了を示すメッセージを即座に表示すると共に前記ルームキーを回収し、追加代金が未精算である場合は、宿泊者からの入金操作を受けて追加代金の精算手続きを行った後、チェックアウト手続きの終了を示すメッセージを表示すると共に前記ルームキーを回収し、
前記データ管理手段は、前記精算装置での前記チェックイン手続きにおいて、前記精算装置に対して入力された宿泊者を特定するための情報に基づき、チェックイン手続きを行っている宿泊者の前記宿泊者情報を検索し、前記精算装置での前記チェックアウト手続きにおいて、前記精算装置により前記ルームキーから読み取られた宿泊者を特定するための情報に基づき、チェックアウト手続きを行っている宿泊者の前記宿泊者情報を検索することを特徴とする請求項１又は２記載の宿泊手続き補助システム。
【請求項４】
前記少なくとも１台の応対ロボット毎に、前記フロントカウンターに人感センサと言語選択手段とを備え、
前記応対ロボットは、前記人感センサによる宿泊者の検知をトリガとして、宿泊者に対する歓迎のメッセージと言語選択操作を促すメッセージとを音声出力し、前記言語選択手段を介して宿泊者により言語が選択された後、該選択された言語へと音声出力の言語を設定することを特徴とする請求項１から３の何れか１項記載の宿泊手続き補助システム。
【請求項５】
前記少なくとも１台の応対ロボット毎に、投函センサを備えた宿泊者カード回収部を含み、
前記応対ロボットは、チェックイン時の動作として、宿泊者に対して宿泊者カードへの記入及び宿泊者カードの投函を促すメッセージを音声出力し、前記投函センサによる前記宿泊者カード回収部への宿泊者カードの投函検知をトリガとして、前記精算装置によるチェックイン手続きを促すメッセージを音声出力することを特徴とする請求項１から４の何れか１項記載の宿泊手続き補助システム。
【請求項６】
前記データ管理手段は、前記宿泊者情報として、宿泊者の氏名と、宿泊代金及び追加代金の精算状況と、宿泊者の宿泊予約ステータスとを含む情報を管理していることを特徴とする請求項１から５の何れか１項記載の宿泊手続き補助システム。
【発明の詳細な説明】
【技術分野】
【０００１】
本発明は、宿泊施設における宿泊手続きを補助する宿泊手続き補助システムに関するものである。
【背景技術】
【０００２】
従来から、宿泊施設の人件費削減等を目標として、宿泊施設のフロント業務を軽減するような、様々な発明が発案されている。例えば、特許文献１には、宿泊施設の予約手続きだけではなく、チェックイン手続き、チェックアウト手続き、宿泊施設の各種サービスの申し込み等を、宿泊者が所有する携帯端末から行えるシステムが開示されている。
【先行技術文献】
【特許文献】
【０００３】
【特許文献１】特開平２００４−３５５０９７号公報
【発明の概要】
【発明が解決しようとする課題】
【０００４】
しかしながら、上述した宿泊施設のシステムは、端末のみを介して宿泊の各手続きを行うことから、接客の要素がなく、宿泊者に対して事務的な印象を与え、宿泊施設の魅力を下げてしまう虞がある。
本発明は上記課題に鑑みてなされたものであり、その目的とするところは、宿泊施設の魅力を向上させながら、人件費の削減を図ることにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）宿泊施設における宿泊手続きを補助するシステムであって、前記宿泊施設のフロントカウンターに設置され、宿泊者に対する応対を行う少なくとも１台の応対ロボットと、該応対ロボット毎に設置され、精算手続きを行うための精算装置と、宿泊者に係る宿泊者情報の保持及び管理を行うデータ管理手段とを含み、前記応対ロボットは、複数の可動部と音声出力手段とを備え、前記複数の可動部の動作を組み合わせながら、前記音声出力手段から出力する音声によって、宿泊者に対して宿泊手続きに係る各作業を促し、前記精算装置は、宿泊者からの入力操作を受けて、前記データ管理手段から参照する前記宿泊者情報に基づいて精算手続きを行い、前記データ管理手段は、前記精算装置を介して行われた精算手続きに応じて、前記宿泊者情報を更新する宿泊手続き補助システム（請求項１）。
【０００７】
本項に記載の宿泊手続き補助システムは、少なくとも１台の応対ロボット、応対ロボット毎に設置される精算装置、及び、データ管理手段を含んでいる。応対ロボットは、宿泊施設のフロントカウンターに設置され、宿泊者に対する応対を行うものであり、複数の可動部と音声出力手段とを備えている。例えば、応対ロボットとして、人間型のロボット、動物型のロボット、恐竜型のロボット等が挙げられ、何れのロボットであっても、腕部や頭部等が可動部として構成され、顔の表情が変化するように可動部が設けられていてもよい。これにより、複数の可動部の動作を組み合わせて、あたかも人間が応対しているかの如く、手振りや身振り、顔の表情の変化を交えながら、音声出力手段から出力する音声によって、宿泊者に対して宿泊手続きに係る各作業を促すものである。
【０００８】
精算装置は、宿泊者からの入力操作を受けて、データ管理手段から参照する宿泊者情報に基づき、宿泊代金や追加代金等の精算手続きを行うものである。この精算装置は、応対ロボット毎に設置されるため、宿泊者が応対ロボットにより精算手続きを促された場合に、直ぐに精算装置により精算手続きが行える。又、データ管理手段は、宿泊者情報の保持及び管理を行うものであり、宿泊者情報には、宿泊業務に必要な宿泊者の各情報が含まれている。そして、データ管理手段は、精算装置を介して行われた精算手続きに応じて、宿泊者情報を更新する。
本項に記載の宿泊手続き補助システムは、上記のような構成であるため、宿泊手続きを行う宿泊者は、フロントカウンターにおいて応対ロボットによる接客を受けながら、精算装置によりスムーズに手続きを行うこととなる。従って、応対ロボット等によって魅力が向上されながらも、フロント業務の一部が自動化され、人件費の削減が図られるものとなる。
【０００９】
（２）上記（１）項において、前記宿泊施設の従業員による宿泊手続きの確認作業を補助する従業員補助装置を含み、該従業員補助装置は、前記フロントカウンターの様子を撮影する撮影手段と、該撮影手段により撮影された映像を従業員に対して表示する表示手段と、前記フロントカウンターにいる宿泊者と従業員との間で音声通信を行うための音声入出力手段と、前記データ管理手段により保持されている前記宿泊者情報にアクセスするアクセス手段と、を備える宿泊手続き補助システム（請求項２）。
【００１０】
本項に記載の宿泊手続き補助システムは、更に、従業員補助装置を含んでおり、この従業員補助装置は、宿泊施設の従業員による宿泊手続きの確認作業を補助するために、撮影手段、表示手段、音声入出力手段、及び、アクセス手段を備えている。すなわち、撮影手段によってフロントカウンターの様子を撮影し、その撮影した映像を表示手段に表示することで、従業員は、表示手段を介して、フロントカウンターへの宿泊者の接近、宿泊手続きの進行状況、不審者の有無等を確認する。又、音声入出力手段により音声通信を行うことで、従業員は、例えば宿泊手続きが円滑に進んでいない場合等に、音声入出力手段を介してフロントカウンターにいる宿泊者と会話を行い、宿泊手続きの説明等を行う。
【００１１】
更に、従業員は、アクセス手段を介して、データ管理手段により保持されている宿泊者情報にアクセスすることで、宿泊手続きを行っている宿泊者の予約状況や精算状況等を確認する。これにより、応対ロボット及び精算装置で対応している宿泊手続きが、従業員補助装置を利用する従業員によって、常に万全にバックアップされることになり、サービスの質の低下が防止される。又、応対ロボットが設置されたフロントカウンター毎に、撮影手段や音声入出力手段を設置することで、複数のフロントカウンターの様子が、従業員補助装置を介して同時に確認され、更に、特に問題が起きなければ、宿泊者と従業員とが直接やり取りをする必要はない。このため、バックアップを行う従業員の人数はフロントカウンターの数より少なくてよく、人件費の削減が図られるものとなる。
【００１２】
（３）上記（１）（２）項において、前記精算装置は、宿泊者の入力操作に応じて、チェックイン手続きとチェックアウト手続きとを実行するものであり、前記チェックイン手続きにおいて、宿泊者から宿泊者を特定するための情報の入力を受けた後、前記データ管理手段において検索された前記宿泊者情報に基づいて宿泊代金の精算状況の確認を行い、宿泊代金が精算済みである場合は、宿泊者が宿泊する客室のルームキーを即座に発行し、宿泊代金が未精算である場合は、宿泊者からの入金操作を受けて宿泊代金の精算手続きを行った後、前記ルームキーを発行し、前記チェックアウト手続きにおいて、前記ルームキーから宿泊者を特定するための情報を読み取った後、前記データ管理手段において検索された前記宿泊者情報に基づいて追加代金の精算状況の確認を行い、追加代金が精算済みである場合は、チェックアウト手続きの終了を示すメッセージを即座に表示すると共に前記ルームキーを回収し、追加代金が未精算である場合は、宿泊者からの入金操作を受けて追加代金の精算手続きを行った後、チェックアウト手続きの終了を示すメッセージを表示すると共に前記ルームキーを回収し、前記データ管理手段は、前記精算装置での前記チェックイン手続きにおいて、前記精算装置に対して入力された宿泊者を特定するための情報に基づき、チェックイン手続きを行っている宿泊者の前記宿泊者情報を検索し、前記精算装置での前記チェックアウト手続きにおいて、前記精算装置により前記ルームキーから読み取られた宿泊者を特定するための情報に基づき、チェックアウト手続きを行っている宿泊者の前記宿泊者情報を検索する宿泊手続き補助システム（請求項３）。
【００１３】
本項に記載の宿泊手続き補助システムは、宿泊者の入力操作に応じて、精算装置によりチェックイン手続きとチェックアウト手続きとを実行する。すなわち、宿泊者によりチェックイン手続きが入力されると、精算装置は、宿泊者に対して宿泊者を特定するための情報（例えば宿泊者の氏名等）の入力を促す。精算装置に対して宿泊者を特定するための情報が入力されると、データ管理手段は、精算装置に入力された情報に基づいて、保持している宿泊者情報の中から、チェックイン手続きを行っている当該宿泊者の宿泊者情報を検索する。そして、精算装置は、データ管理手段において検索された当該宿泊者の宿泊者情報を参照し、参照した当該宿泊者の宿泊者情報に基づいて、当該宿泊者の宿泊代金の精算状況の確認を行う。その結果、Ｗｅｂ上のクレジット決済等により、既に宿泊代金が精算されていることが確認された場合は、当該宿泊者に割り当てられた、当該宿泊者の予約内容に適合した客室のルームキーを、即座に発行する。又、宿泊代金が未精算であることが確認された場合は、宿泊代金の精算手続きを促し、当該宿泊者からの入金操作を受けて、宿泊代金の精算手続きを行った後に、ルームキーを発行する。
【００１４】
一方、宿泊者によりチェックアウト手続きが入力されると、精算装置は、例えば宿泊者にルームキーを挿入するように促し、ルームキーから宿泊者を特定するための情報（例えば客室番号等）を読み取る。すると、データ管理手段は、精算装置によりルームキーから読み取られた宿泊者を特定するための情報に基づいて、保持している宿泊者情報の中から、チェックアウト手続きを行っている当該宿泊者の宿泊者情報を検索する。そして、精算装置は、データ管理手段において検索された当該宿泊者の宿泊者情報を参照し、参照した当該宿泊者の宿泊者情報に基づいて、追加代金の精算状況の確認を行う。その結果、追加代金が精算済みであることが確認された場合は、チェックアウト手続きの終了を示すメッセージを即座に表示すると共に、挿入されていたルームキーをそのまま回収する。又、追加代金が未精算であることが確認された場合は、追加代金の精算手続きを促し、当該宿泊者からの入金操作を受けて、追加代金の精算手続きを行った後に、チェックアウト手続きの終了を示すメッセージの表示、及び、ルームキーの回収を行う。このような構成であるため、本項に記載の宿泊手続き補助システムは、精算装置によるチェックイン及びチェックアウトの手続きが、より円滑に進むものとなる。
【００１５】
（４）上記（１）から（３）項において、前記少なくとも１台の応対ロボット毎に、前記フロントカウンターに人感センサと言語選択手段とを備え、前記応対ロボットは、前記人感センサによる宿泊者の検知をトリガとして、宿泊者に対する歓迎のメッセージと言語選択操作を促すメッセージとを音声出力し、前記言語選択手段を介して宿泊者により言語が選択された後、該選択された言語へと音声出力の言語を設定する宿泊手続き補助システム（請求項４）。
【００１６】
本項に記載の宿泊手続き補助システムは、応対ロボットが設置されているフロントカウンター毎に、フロントカウンターに近づいた宿泊者を検知する人感センサと、応対ロボットが出力する音声の言語（例えば、日本語、英語等）を選択するための言語選択手段とを備えているものである。このため、応対ロボットは、人感センサにより宿泊者が検知されたことをトリガとして、宿泊者に対する歓迎のメッセージと、言語選択手段を介した言語選択操作を促すメッセージとを音声出力する。これにより、宿泊者がフロントカウンターに近づいたタイミングに合わせて、歓迎のメッセージが音声出力される。そして、言語選択手段を介して宿泊者により言語が選択されると、応対ロボットは、音声出力の言語を選択された言語へと設定し、次に別の言語が選択されるまで、設定した言語によって音声出力を行う。これにより、応対ロボットは、宿泊者が所望する言語を使用して応対を行うことになるため、音声出力の内容が宿泊者に理解され易くなり、宿泊手続きがより円滑に進行される。
【００１７】
（５）上記（１）から（４）項において、前記少なくとも１台の応対ロボット毎に、投函センサを備えた宿泊者カード回収部を含み、前記応対ロボットは、チェックイン時の動作として、宿泊者に対して宿泊者カードへの記入及び宿泊者カードの投函を促すメッセージを音声出力し、前記投函センサによる前記宿泊者カード回収部への宿泊者カードの投函検知をトリガとして、前記精算装置によるチェックイン手続きを促すメッセージを音声出力する宿泊手続き補助システム（請求項５）。
【００１８】
本項に記載の宿泊手続き補助システムは、応対ロボット毎に、例えばフロントカウンターに隣接して設置される宿泊者カード回収部を含んでいるものである。この宿泊者カード回収部は、宿泊者により記入された宿泊者カードを回収するものであり、例えば、宿泊者カードが投函される投函口と、宿泊者カードを収容する収容部とを有している。更に、宿泊者カード回収部は、宿泊者カードが投函されたことを検知する投函センサを備えている。そして、応対ロボットは、チェックイン手続きを行う宿泊者に対して、宿泊者カードへの記入を促すメッセージと、記入した宿泊者カードの宿泊者カード回収部への投函を促すメッセージとを音声出力する。その後、応対ロボットは、宿泊者カード回収部の投函センサによって、宿泊者カード回収部への宿泊者カードの投函が検知されたことをトリガとして、精算装置においてチェックイン手続きを行うことを促すメッセージを、宿泊者に対して音声出力する。これにより、宿泊者カードが効率よく回収されると共に、精算装置によるチェックイン手続きを、適切なタイミングで促すものとなる。
【００１９】
（６）上記（１）から（５）項において、前記データ管理手段は、前記宿泊者情報として、宿泊者の氏名と、宿泊代金及び追加代金の精算状況と、宿泊者の宿泊予約ステータスとを含む情報を管理している宿泊手続き補助システム（請求項６）。
本項に記載の宿泊手続き補助システムは、データ管理手段によって保持及び管理する宿泊者情報に、宿泊者の氏名と、宿泊代金及び追加代金の精算状況と、宿泊者の宿泊予約ステータスとが含まれているものである。すなわち、宿泊者の氏名は、宿泊者を特定するために用いられ、精算状況は、精算手続きを行うために精算装置によって参照されると共に、精算手続きが行われた場合に更新される。又、宿泊予約ステータスは、宿泊を予約した宿泊者の現在のステータスを示すものであり、日時の経過や、精算装置により受けた精算手続き等に応じて、例えば、宿泊施設に滞在していることを示す「滞在状態」や、チェックアウト手続きを行って宿泊施設を出発したことを示す「出発済み」といったステータスが設定される。宿泊予約ステータスは、例えば、宿泊施設の従業員によって確認される。従って、本項に記載の宿泊手続き補助システムは、宿泊者情報に上記のような情報が含まれていることで、宿泊手続きが効率よく行われることとなる。
【発明の効果】
【００２０】
本発明は上記のような構成であるため、宿泊施設の魅力を向上させながら、人件費の削減を図ることが可能となる。
【図面の簡単な説明】
【００２１】
【図１】本発明の実施の形態に係る宿泊手続き補助システムの構成の一例を示すブロック図である。
【図２】図１に示した応対ロボットの処理の流れの一例を示すフロー図である。
【図３】図１に示した精算装置の処理の流れの一例を示すフロー図である。
【図４】図１に示したデータ管理手段の処理の流れの一例を示すフロー図である。
【発明を実施するための形態】
【００２２】
以下、本発明を実施するための形態を、添付図面に基づき説明する。なお、従来技術と同一部分、若しくは相当する部分については、詳しい説明を省略する。
図１は、本発明の実施の形態に係る宿泊手続き補助システム１０の構成の一例を、概略的に示している。図示のように、宿泊手続き補助システム１０は、応対ロボット１２、精算装置１４、データ管理手段１６、人感センサ２２、言語選択手段２４、宿泊者カード回収部２６、及び、従業員補助装置３０を含んでいる。又、図１の例では、応対ロボット１２（１２Ａ、１２Ｂ）、精算装置１４（１４Ａ、１４Ｂ）、人感センサ２２（２２Ａ、２２Ｂ）、言語選択手段２４（２４Ａ、２４Ｂ）、宿泊者カード回収部２６（２６Ａ、２６Ｂ）の夫々を、２つずつ含む構成になっている。
【００２３】
応対ロボット１２は、宿泊施設のフロントカウンターにおいて、宿泊者に対する応対を行うものであり、複数の可動部１８と、音声出力手段２０とを備えている。このため、応対ロボット１２は、例えば、人間型ロボット、恐竜型ロボット、動物型ロボットといった、可動部１８として動作する頭部、胴体部、腕部等を有し、宿泊者が受け入れやすく、又、宿泊者の興味を惹くような容姿であることが好ましい。更に、応対ロボット１２の顔に相当する部位に可動部１８を含み、目や口の動きと合わせて、応対ロボット１２の表情が変化するようなものであってもよい。そして、応対ロボット１２は、身振りや手振り、表情の変化、口の動き等と共に、音声出力手段２０から、宿泊者に対して宿泊手続きに係る各作業を促すメッセージを音声出力する。又、応対ロボット１２は、宿泊施設の規模等を考慮して、その宿泊施設に必要と考えられる台数が設置される。
【００２４】
又、応対ロボット１２は、図１の例では、応対ロボット１２毎に例えばフロントカウンター上に設置される言語選択手段２４を介して、宿泊者により選択された言語を音声出力する。すなわち、応対ロボット１２Ａは、言語選択手段２４Ａを介して選択された言語を音声出力し、応対ロボット１２Ｂは、言語選択手段２４Ｂを介して選択された言語を音声出力する。応対ロボット１２が音声出力する言語（言語選択手段２４において選択可能な言語）には、日本語、英語、その他の言語等、宿泊者によって比較的多く使用されている言語が含まれる。言語選択手段２４は、例えば、言語毎に設置されるボタンによって言語が選択されるものであってもよく、タブレット型等の小型端末を利用したのであってもよい。
【００２５】
又、応対ロボット１２は、応対ロボット１２毎に例えばフロントカウンター下部に設置される人感センサ２２と、同じく応対ロボット１２毎に例えばフロントカウンターに隣接して設置される宿泊者カード回収部２６が備える投函センサ２８との、夫々の検知結果を、特定のメッセージを音声出力するためのトリガとして利用する。ここで、人感センサ２２は、フロントカウンターに宿泊者が近づいたことを検知するものであり、投函センサ２８は、宿泊者カード回収部２６に宿泊者カードが投函されたことを検知するものである。すなわち、応対ロボット１２Ａは、人感センサ２２Ａによる宿泊者の接近の検知と、宿泊者カード回収部２６Ａが備えた投函センサ２８による宿泊者カード回収部２６Ａへの宿泊者カード投函の検知とをトリガとして利用し、応対ロボット１２Ｂは、人感センサ２２Ｂによる宿泊者の接近の検知と、宿泊者カード回収部２６Ｂが備えた投函センサ２８による宿泊者カード回収部２６Ｂへの宿泊者カード投函の検知とをトリガとして利用する。なお、宿泊者カード回収部２６は、例えば、宿泊者カードが投函される投函口と、宿泊者カードを収容する収容部とを備えたものである。
【００２６】
精算装置１４は、精算手続きと共にチェックイン手続き及びチェックアウト手続きを行うためのものであり、より詳しくは、宿泊者からの入力操作を受けて、データ管理手段１６から参照する宿泊者情報に基づき、宿泊代金の精算手続きを含むチェックイン手続きや、追加代金の精算手続きを含むチェックアウト手続きを行う。又、精算装置１４は、宿泊者によるチェックイン手続き時に、宿泊者が宿泊する客室のルームキーを発行し、チェックアウト手続き時に、ルームキーを回収する。ルームキーとして、例えば、客室番号等の情報が書き込まれた情報媒体を含むルームカード等が利用される。精算装置１４は、例えばタッチパネル式の操作画面及び表示部を備えたコンピュータ等で構成され、応対ロボット１２毎に例えばフロントカウンターに隣接して設置される。図１の例では、精算装置１４Ａが応対ロボット１２Ａに対応し、精算装置１４Ｂが応対ロボット１２Ｂに対応している。
【００２７】
データ管理手段１６は、宿泊者に係る宿泊者情報の保持及び管理を行うものであり、精算装置１４を介して行われた精算手続きや、日時の経過等に応じて、宿泊者情報を更新する。宿泊者情報には、例えば、宿泊者の氏名、宿泊代金や追加代金の精算状況、宿泊者の宿泊予約ステータス等が含まれている。ここで、宿泊予約ステータスは、宿泊を予約した宿泊者の現在の状況を示すものであり、例えば、宿泊者の宿泊予定日になると「到着予定」、チェックイン手続きが終了すると「滞在状態」、宿泊最終日になると「出発予定」、チェックアウト手続きが終了すると「出発済み」へと更新される。なお、データ管理手段１６は、例えばサーバ型のコンピュータ等で構成される。
【００２８】
従業員補助装置３０は、宿泊施設の従業員による宿泊手続きの確認作業を補助するものであり、図１の例では、２つの撮影手段３２（３２Ａ及び３２Ｂ）、表示手段３４、２つの音声入出力手段３６（３６Ａ及び３６Ｂ）、及び、アクセス手段３８を含んでいる。撮影手段３２は、フロントカウンターの様子を撮影するものであり、図１の例では、撮影手段３２Ａが、応対ロボット１２Ａが設置されたフロントウンターの様子を撮影し、撮影手段３２Ｂが、応対ロボット１２Ｂが設置されたフロントウンターの様子を撮影する。又、表示手段３４は、撮影手段３２により撮影されたフロントカウンターの様子を、従業員に対して表示するものである。本実施例では、２つの撮影手段３２Ａ及び３２Ｂにより撮影された映像を、画面の分割や映像の切り替え等によって１つの表示手段３４により表示する。しかしながら、撮影手段３２と同数の表示手段３４を設置し、各撮影手段３２で撮影した映像を別々の表示手段３４に表示してもよい。
【００２９】
音声入出力手段３６は、フロントカウンターにいる宿泊者と従業員との間で音声通信を行うためのものであり、図１の例では、音声入出力手段３６Ａを介して、応対ロボット１２Ａが設置されたフロントウンターにいる宿泊者と従業員との間で音声通信が行われ、音声入出力手段３６Ｂを介して、応対ロボット１２Ｂが設置されたフロントウンターにいる宿泊者と従業員との間で音声通信が行われる。又、アクセス手段３８は、データ管理手段１６により保持されている宿泊者情報に、従業員がアクセスするためのものである。
例えば、従業員補助装置３０は、表示手段３４と、音声入出力手段３６Ａ及び３６Ｂの、宿泊者の音声出力及び従業員の音声入力に係る部位と、アクセス手段３８とが、１台のコンピュータ端末で構成され、そのコンピュータ端末が、宿泊施設に構築されたネットワークを介して、撮影手段３２Ａ及び３２Ｂ（例えばＩＰカメラ）と、音声入出力手段３６Ａ及び３６Ｂの、宿泊者の音声入力及び従業員の音声出力に係る部位（ＩＰ接続可能なマイク及びスピーカー）と、データ管理手段１６とに、通信可能に接続されるような構成であってもよい。
【００３０】
次に、図２〜図４に示すフロー図を参照しながら、図１に示した応対ロボット１２、精算装置１４、データ管理手段１６の各々が行う処理動作の一例について説明する。なお、宿泊手続き補助システム１０全体の構成については、図１を参照されたい。
まず、図２のフロー図の流れに沿って、応対ロボット１２の処理動作を説明する。
Ｓ１０（人感センサの検知監視）：人感センサ２２による、フロントカウンターへの宿泊者の接近有無を示す検知結果を監視する。そして、人感センサ２２により宿泊者の接近が検知された場合（ＹＥＳ）は、Ｓ２０へ移行し、宿泊者の接近が検知されない場合（ＮＯ）は、本処理ステップを繰り返し実行する。すなわち、人感センサ２２により宿泊者の接近が検知されるまで、待機する状態となる。なお、この待機状態の際に、待機状態専用のメッセージの音声出力や、待機状態専用の身振り等を実行するようにしてもよい。
Ｓ２０（歓迎メッセージ出力）：人感センサ２２によりフロントカウンターへの宿泊者の接近が検知されたら、音声出力手段２０を介して、宿泊者に対して歓迎のメッセージを音声出力する。
【００３１】
Ｓ３０（言語選択メッセージ出力）：上記Ｓ２０における歓迎メッセージに続き、宿泊者に対して、応対ロボット１２から音声出力する言語を、言語選択手段２４を介して選択するように促すメッセージを、音声出力手段２０を介して音声出力する。なお、上記Ｓ２０及び本処理ステップＳ３０において、歓迎メッセージ及び言語選択を促すメッセージを音声出力する際の言語は、直近に選択された言語をそのまま使用してもよく、或いは、本宿泊手続き補助システム１０が設置されている宿泊施設を利用する宿泊者の中で、最も多く使用されている言語等に設定してもよい。更には、従業員補助装置３０に、応対ロボット１２の音声出力の言語を切り替える機能と、応対ロボット１２に音声出力指示を与える機能とを設け、従業員補助装置３０を使用している従業員により、撮影手段３２及び表示手段３４を介して、フロントカウンターに宿泊者が近づいたことを確認したら、その宿泊者の人種等に応じて応対ロボット１２の言語を切り替えた後、歓迎メッセージ及び言語選択を促すメッセージを出力させるようにしてもよい。
【００３２】
Ｓ４０（言語選択監視）：言語選択手段２４を介して宿泊者により言語が選択されたか否かを監視する。そして、応対ロボット１２が音声出力する言語が選択された場合（ＹＥＳ）は、Ｓ５０へ移行し、言語が選択されない場合（ＮＯ）は、本処理ステップを繰り返し実行する。すなわち、言語選択手段２４を介して応対ロボット１２が音声出力する言語が選択されるまで、待機する状態となる。なお、言語が選択されない場合（ＮＯ）に上記Ｓ３０へ復帰し、言語の選択を促すメッセージを繰り返し音声出力するようにしてもよい。
Ｓ５０（音声出力言語設定）：応対ロボット１２から音声出力する言語を、言語選択手段２４を介して宿泊者により選択された言語へ設定する。すなわち、以降の各ステップで応対ロボット１２から音声出力する言語は、音声出力の言語が再度選択されるまで、本処理ステップＳ５０において設定される言語となる。
【００３３】
Ｓ６０（チェックイン／チェックアウト案内メッセージ出力）：宿泊者に対して、チェックイン手続きを行う場合の案内メッセージと、チェックアウト手続きを行う場合の案内メッセージとを、音声出力手段２０を介して音声出力する。本実施例では、チェックイン手続きを行う場合の案内メッセージとして、フロントカウンター等に設置されたチェックインボタンを押下するように促すメッセージを音声出力し、チェックアウト手続きを行う場合の案内メッセージとして、精算装置１４を操作してチェックアウト手続きを行うように促すメッセージを音声出力するものとする。
【００３４】
Ｓ７０（チェックインボタン監視）：フロントカウンター等に設置されたチェックインボタンが押下されたか否かを監視する。そして、チェックインボタンが押下された場合（ＹＥＳ）は、Ｓ８０へ移行し、チェックインボタンが押下されない場合（ＮＯ）は、例えばチェックインボタン押下の監視を始めてからの経過時間に応じて、上記Ｓ１０や上記Ｓ６０へ復帰する。すなわち、上記の経過時間が少ない場合は、Ｓ６０へ復帰し（図２の一点鎖線で示す流れ）、上記の経過時間が多い場合は、上記Ｓ１０へ復帰する。なお、精算装置１４においてチェックアウト手続きが始められたか否かを監視し、チェックアウト手続きが始められた場合に上記Ｓ１０へ復帰し、チェックインボタンの押下と精算装置１４におけるチェックアウト手続きの開始との双方が確認できない場合に、上記Ｓ６０へ復帰するようにしてもよい。更に、精算装置１４におけるチェックアウト手続きの開始が確認できた場合に、チェックアウト手続きが終了するまで待機状態となり、チェックアウト手続きが終了したら上記Ｓ１０へ復帰するようにしてもよい。
【００３５】
Ｓ８０（氏名確認メッセージ出力）：宿泊者に対して、宿泊者の氏名を口頭で伝えることを促すメッセージを、音声出力手段２０を介して音声出力する。なお、宿泊者から口頭で伝えられた氏名は、従業員補助装置３０の音声入出力手段３６を介して従業員へと伝わり、従業員がフロントカウンターにいる宿泊者を特定するために利用される。そして、従業員は、従業員補助装置３０のアクセス手段３８を介して、データ管理手段１６に保持されている宿泊者情報から、特定した宿泊者の宿泊者情報を検索して確認する。
Ｓ９０（宿泊者カード記入／投函メッセージ出力）：宿泊者に対して、宿泊者カードへの記入を促すメッセージと、記入した宿泊者カードを宿泊者カード回収部２６へ投函するように促すメッセージとを、音声出力手段２０を介して音声出力する。
【００３６】
Ｓ１００（投函センサの検知監視）：宿泊者カード回収部２６が具備する投函センサ２８により、宿泊者カード回収部２６へ宿泊者カードが投函されたことが検知されたか否かを監視する。そして、宿泊者カードが投函されたことが検知された場合（ＹＥＳ）は、Ｓ１１０へ移行し、投函されたことが検知されない場合（ＮＯ）は、本処理ステップを繰り返し実行する。すなわち、宿泊者カード回収部２６へ宿泊者カードが投函されるまで、待機する状態となる。なお、宿泊者カードの投函が検知されない場合（ＮＯ）に上記Ｓ９０へ復帰し、宿泊者カードの記入及び投函を促すメッセージを繰り返し音声出力するようにしてもよい。
Ｓ１１０（精算装置でのチェックイン手続きメッセージ出力）：宿泊者に対して、精算装置１４を操作してチェックイン手続きを行うように促すメッセージを、音声出力手段２０を介して音声出力する。
【００３７】
Ｓ１２０（ルームキー発行の監視）：精算装置１４において、ルームキーが発行（後述する図３のＳ３００参照）されたか否かを監視する。本実施例では、精算装置１４においてルームキーが発行された場合に、ルームキー発行信号が精算装置１４から応対ロボット１２に対して出力され（後述する図３のＳ３１０参照）、このルームキー発行信号の受信の有無を以って、ルームキー発行の判定を行う。すなわち、精算装置１４からルームキー発行信号を受信した場合は、精算装置１４においてルームキーが発行されたと判定（ＹＥＳ）して、Ｓ１３０へ移行し、ルームキー発行信号を受信していない場合は、精算装置１４においてルームキーが発行されていないと判定（ＮＯ）して、本処理ステップを繰り返し実行する。すなわち、精算装置１４からルームキー発行信号を受信するまで、待機する状態となる。なお、ルームキー発行信号を受信していない場合（ＮＯ）に上記Ｓ１１０へ復帰し、精算装置１４においてチェックイン手続きを行うように促すメッセージを、繰り返し音声出力するようにしてもよい。
【００３８】
Ｓ１３０（館内案内メッセージ出力）：上記Ｓ１２０においてルームキーが発行されたことを確認したら、精算装置１４でのチェックイン手続きが終了したと判断し、宿泊者に対して、宿泊施設の館内を案内するメッセージを、音声出力手段２０を介して音声出力する。
Ｓ１４０：上記Ｓ８０から上記Ｓ１３０までの処理ステップにより、応対ロボット１２によるチェックイン手続き時の処理が終了となる。このため、上記Ｓ１０へ復帰し、次の宿泊者がフロントカウンターへ接近まで待機する。なお、例えばチェックイン処理が終了してからの経過時間に応じて、上記Ｓ６０を経由して（図２の一点鎖線で示す流れ）上記Ｓ１０へ復帰してもよい。
【００３９】
続いて、図３のフロー図の流れに沿って、精算装置１４の処理動作を説明する。
Ｓ２００（手続き選択監視）：宿泊者により、精算装置１４の操作画面等に対して、チェックイン手続き又はチェックアウト手続きの何れか一方が選択入力されたか否かを監視する。そして、何れか一方が選択入力された場合（ＹＥＳ）は、Ｓ２１０へ移行し、選択入力されない場合（ＮＯ）は、本処理ステップを繰り返し実行する。すなわち、手続きが選択入力されるまで、待機する状態となる。なお、本宿泊手続き補助システム１０を利用した宿泊手続きの通常の流れにおいて、宿泊者によりチェックイン手続きが選択入力されるタイミングは、上述した図２におけるＳ１１０の後であり、チェックアウト手続きが選択入力されるタイミングは、上述した図２におけるＳ６０の後である。
【００４０】
Ｓ２１０（チェックイン手続き選択判定）：上記Ｓ２００において選択入力されたと判定した手続きが、チェックイン手続きであるか否かを判定する。そして、チェックイン手続きが選択入力されたと判定した場合（ＹＥＳ）は、Ｓ２３０へ移行し、チェックイン手続きが選択入力されていないと判定した場合（ＮＯ）は、チェックアウト手続きが選択されたと判断し、Ｓ３３０へ移行する。
Ｓ２３０（氏名入力メッセージ表示）：宿泊者に対して、精算装置１４の操作画面等に対する氏名の入力を促すメッセージを表示する。なお、本処理ステップにおいて入力を促す情報は、宿泊者の氏名に限定されるものではなく、入力操作を行っている宿泊者を特定できる情報であればよい。
【００４１】
Ｓ２４０（氏名入力判定）：宿泊者により氏名が入力されたか否かを監視する。そして、氏名が入力された場合（ＹＥＳ）は、Ｓ２５０へ移行し、氏名が入力されない場合（ＮＯ）は、上記Ｓ２３０へ復帰する。すなわち、精算装置１４に対して宿泊者の氏名が入力されるまで、上記Ｓ２３０でのメッセージの表示と、本処理ステップでの判定とを繰り返し実行する。なお、精算装置１４に対して入力された宿泊者の氏名は、宿泊者を特定するための情報（宿泊者特定情報）として、データ管理手段１６により取得される（後述する図４のＳ５３０参照）。
Ｓ２５０（宿泊者情報参照）：宿泊者により入力された氏名（宿泊者特情報）に基づいてデータ管理手段１６において検索される（後述する図４のＳ５４０参照）、氏名を入力した宿泊者の宿泊者情報を、データ管理手段１６から参照する。
【００４２】
Ｓ２６０（宿泊代金精算状況確認）：上記Ｓ２５０で参照した宿泊者情報に含まれている、宿泊代金の精算状況を確認する。
Ｓ２７０（宿泊代金精算判定）：上記Ｓ２６０における確認の結果、氏名を入力した宿泊者の宿泊代金が、精算済みであるか否かを判定する。そして、Ｗｅｂ上のクレジット決済等により、既に宿泊代金が精算済みであることが確認された場合（ＹＥＳ）は、Ｓ３００へ移行し、宿泊代金が未精算であることが確認された場合（ＮＯ）は、Ｓ２８０へ移行する。
【００４３】
Ｓ２８０（入金操作メッセージ表示）：宿泊者に対して、宿泊代金の入金操作を促すメッセージを表示する。精算装置１４に対する入金操作は、例えば、現金の投入やクレジット決済の入力操作等で行われる。
Ｓ２９０（入金操作監視）：宿泊者により精算装置１４に対して、宿泊代金の入金操作が行われたか否かを監視する。そして、宿泊代金の入金操作が行われた場合（ＹＥＳ）は、Ｓ３００へ移行し、宿泊代金の入金操作が行われない場合（ＮＯ）は、上記Ｓ２８０へ復帰する。すなわち、精算装置１４に対して宿泊代金の入金操作が行われるまで、上記Ｓ２８０でのメッセージの表示と、本処理ステップでの監視とを繰り返し実行する。
【００４４】
Ｓ３００（ルームキー発行）：宿泊者に対して、宿泊者が宿泊する客室のルームキーを発行する。
Ｓ３１０（ルームキー発行信号出力）：応対ロボット１２に対して、ルームキーを発行したことを示すルームキー発行信号を出力する。本処理ステップにおいて出力したルームキー発行信号は、応対ロボット１２において、ルームキー発行の判定に利用される（図２のＳ１２０参照）。
Ｓ３２０（チェックイン手続き終了メッセージ表示）：上記Ｓ２３０から上記Ｓ３１０までの処理ステップにより、精算装置１４におけるチェックイン手続きの処理が終了となる。このため、宿泊者に対して、チェックイン手続きが終了したことを示すメッセージを表示し、上記Ｓ２００へ復帰する。
【００４５】
Ｓ３３０（ルームキー挿入メッセージ表示）：宿泊者に対して、精算装置１４の所定位置にルームキーを挿入するように促すメッセージを表示する。すなわち、カード状といったルームキーの種類に応じて、ルームキーから情報を読み取ることができるように、精算装置１４にルームキーをセットするように促すメッセージを表示する。
Ｓ３４０（ルームキー挿入判定）：宿泊者によりルームキーが挿入されたか否かを監視する。そして、ルームキーが挿入された場合（ＹＥＳ）は、挿入されたルームキーから、客室番号等の情報を読み取った後、Ｓ３５０へ移行し、ルームキーが挿入されない場合（ＮＯ）は、上記Ｓ３３０へ復帰する。すなわち、精算装置１４にルームキーが挿入されるまで、上記Ｓ３３０でのメッセージの表示と、本処理ステップでの判定とを繰り返し実行する。なお、ルームキーから読み取られた客室番号等の情報は、宿泊者を特定するための情報（宿泊者特定情報）として、データ管理手段１６により取得される（後述する図４のＳ５９０参照）。
【００４６】
Ｓ３５０（宿泊者情報参照）：上記Ｓ３４０においてルームキーから読み取られた客室番号等の情報（宿泊者特定情報）に基づいてデータ管理手段１６において検索される（後述する図４のＳ６００参照）、ルームキーを挿入した宿泊者の宿泊者情報を、データ管理手段１６から参照する。
Ｓ３６０（追加代金精算状況確認）：上記Ｓ３５０で参照した宿泊者情報に含まれている、追加代金の精算状況を確認する。
【００４７】
Ｓ３７０（追加代金精算判定）：上記Ｓ３６０における確認の結果、ルームキーを挿入した宿泊者の追加代金が、精算済みであるか否かを判定する。そして、追加代金が発生していない場合や、発生した追加代金が既に精算済みであることが確認された場合（ＹＥＳ）は、Ｓ４００へ移行し、発生した追加代金が未精算であることが確認された場合（ＮＯ）は、Ｓ３８０へ移行する。
Ｓ３８０（入金操作メッセージ表示）：宿泊者に対して、追加代金の入金操作を促すメッセージを表示する。
【００４８】
Ｓ３９０（入金操作監視）：宿泊者により精算装置１４に対して、追加代金の入金操作が行われたか否かを監視する。そして、追加代金の入金操作が行われた場合（ＹＥＳ）は、Ｓ４００へ移行し、追加代金の入金操作が行われない場合（ＮＯ）は、上記Ｓ３８０へ復帰する。すなわち、精算装置１４に対して追加代金の入金操作が行われるまで、上記Ｓ３８０でのメッセージの表示と、本処理ステップでの監視とを繰り返し実行する。
Ｓ４００（ルームキー回収）：情報を読み取るために挿入されていたルームキーを、そのまま回収する。
Ｓ４１０（チェックアウト手続き終了メッセージ表示）：上記Ｓ３３０から上記Ｓ４００までの処理ステップにより、精算装置１４におけるチェックアウト手続きの処理が終了となる。このため、宿泊者に対して、チェックアウト手続きが終了したことを示すメッセージを表示し、上記Ｓ２００へ復帰する。
【００４９】
続いて、図４のフロー図の流れに沿って、データ管理手段１６の処理動作を説明する。なお、図４のフロー図には、データ管理手段１６が行う処理動作のうち、精算装置１４と関連する処理動作のみを示している。すなわち、例えば、従業員補助装置３０のアクセス手段３８からのアクセス要求に対する、宿泊者情報の開示処理や、新たな宿泊者情報の追加処理等は、図４のフロー図に含まれていない。
Ｓ５００（精算装置監視）：精算装置１４で行われる処理を把握するために、精算装置１４を監視する。
【００５０】
Ｓ５１０（精算装置手続き監視）：精算装置１４において、宿泊者によって手続きが開始されたか否かを監視する。そして、手続きの開始が確認された場合（ＹＥＳ）は、Ｓ５２０へ移行し、手続きの開始が確認されない場合（ＮＯ）は、本処理ステップを繰り返し実行する。
Ｓ５２０（チェックイン手続き開始判定）：精算装置１４において開始された手続きが、チェックイン手続きであるか否かを判定する。そして、チェックイン手続きが開始されたと判定した場合（ＹＥＳ）は、Ｓ５３０へ移行し、チェックイン手続きが開始されていないと判定した場合（ＮＯ）は、チェックアウト手続きが開始されたと判断し、Ｓ５９０へ移行する。
【００５１】
Ｓ５３０（宿泊者特定情報取得）：上述した図３のＳ２４０のタイミングで宿泊者により入力された、宿泊者を特定するための情報（氏名）を、精算装置１４から取得する。
Ｓ５４０（宿泊者情報検索）：上記Ｓ５３０で取得した宿泊者特定情報に基づき、データ管理手段１６において保持している宿泊者情報の中から、精算装置１４においてチェックイン手続きを行っている宿泊者の宿泊者情報を検索する。なお、本処理ステップにおいて検索した宿泊者情報は、上述した図３のＳ２５０において、精算装置１４によって参照される。
【００５２】
Ｓ５５０（宿泊代金入金監視）：精算装置１４において、宿泊代金の入金操作が行われたか否かを監視する。そして、宿泊代金の入金操作が行われたことが確認された場合（ＹＥＳ）は、Ｓ５６０へ移行し、宿泊代金の入金操作が行われたことが確認されない場合（ＮＯ）は、Ｓ５７０へ移行する。
Ｓ５６０（宿泊代金精算状況更新）：上記Ｓ５４０で検索した、精算装置１４においてチェックイン手続きを行っている宿泊者の宿泊者情報に含まれる、宿泊代金の精算状況を、「精算済み」へ更新する。
【００５３】
Ｓ５７０（チェックイン手続き終了監視）：精算装置１４において、チェックイン手続きが終了したか否かを監視する。そして、チェックイン手続きが終了したことが確認された場合（ＹＥＳ）は、Ｓ５８０へ移行し、チェックイン手続きが終了したことが確認されない場合（ＮＯ）は、Ｓ５００へ復帰する。
Ｓ５８０（宿泊予約ステータス更新）：上記Ｓ５４０で検索した、精算装置１４においてチェックイン手続きを行っていた宿泊者の宿泊者情報に含まれる、宿泊予約ステータスを、「滞在状態」へ更新する。そして、Ｓ５００へ復帰する。
【００５４】
Ｓ５９０（宿泊者特定情報取得）：上述した図３のＳ３４０のタイミングで精算装置１４により読み取られた、宿泊者を特定するための情報（客室番号等）を、精算装置１４から取得する。
Ｓ６００（宿泊者情報検索）：上記Ｓ５９０で取得した宿泊者特定情報に基づき、データ管理手段１６において保持している宿泊者情報の中から、精算装置１４においてチェックアウト手続きを行っている宿泊者の宿泊者情報を検索する。なお、本処理ステップにおいて検索した宿泊者情報は、上述した図３のＳ３５０において、精算装置１４によって参照される。
【００５５】
Ｓ６１０（追加代金入金監視）：精算装置１４において、追加代金の入金操作が行われたか否かを監視する。そして、追加代金の入金操作が行われたことが確認された場合（ＹＥＳ）は、Ｓ６２０へ移行し、追加代金の入金操作が行われたことが確認されない場合（ＮＯ）は、Ｓ６３０へ移行する。
Ｓ６２０（追加代金精算状況更新）：上記Ｓ６００で検索した、精算装置１４においてチェックアウト手続きを行っている宿泊者の宿泊者情報に含まれる、追加代金の精算状況を、「精算済み」へ更新する。
【００５６】
Ｓ６３０（チェックアウト手続き終了監視）：精算装置１４において、チェックアウト手続きが終了したか否かを監視する。そして、チェックアウト手続きが終了したことが確認された場合（ＹＥＳ）は、Ｓ６４０へ移行し、チェックアウト手続きが終了したことが確認されない場合（ＮＯ）は、Ｓ５００へ復帰する。
Ｓ６４０（宿泊予約ステータス更新）：上記Ｓ６００で検索した、精算装置１４においてチェックアウト手続きを行っていた宿泊者の宿泊者情報に含まれる、宿泊予約ステータスを、「出発済み」へ更新する。そして、Ｓ５００へ復帰する。
【００５７】
ここで、図２〜図４に示したフロー図は、本発明の実施の形態に係る宿泊手続き補助システム１０に含まれる応対ロボット１２、精算装置１４、及び、データ管理手段１６の夫々の処理動作を説明するための、処理ステップの流れの一例を示したものである。従って、本発明の実施の形態に係る宿泊手続き補助システム１０において実行される処理フローは、図２〜図４に示した処理フローに限定されるものではなく、例えば、宿泊手続き補助システム１０の構成や、宿泊施設に求められる要求等に応じて、図２〜図４に示した処理ステップの一部が削除、変更、ないし適宜追加された処理フローであってもよいものである。
【００５８】
さて、上記構成をなす本発明の実施の形態によれば、次のような作用効果を得ることが可能である。すなわち、本発明の実施の形態に係る宿泊手続き補助システム１０は、図１に示すように、少なくとも１台の応対ロボット１２（図１の例では２台の応対ロボット１２Ａ及び１２Ｂ）、応対ロボット１２毎に設置される精算装置１４（図１の例では２台の精算装置１４Ａ及び１４Ｂ）、及び、データ管理手段１６を含んでいる。応対ロボット１２は、宿泊施設のフロントカウンターに設置され、宿泊者に対する応対を行うものであり、複数の可動部１８と音声出力手段２０とを備えている。例えば、応対ロボット１２として、人間型のロボット、動物型のロボット、恐竜型のロボット等が挙げられ、何れのロボットであっても、腕部や頭部等が可動部１８として構成され、顔の表情が変化するように可動部１８が設けられていてもよい。これにより、複数の可動部１８の動作を組み合わせて、あたかも人間が応対しているかの如く、手振りや身振り、顔の表情の変化を交えながら、音声出力手段２０から出力する音声によって、宿泊者に対して宿泊手続きに係る各作業を促すことができる。
【００５９】
精算装置１４は、宿泊者からの入力操作を受けて、データ管理手段１６から参照する宿泊者情報に基づき、宿泊代金や追加代金等の精算手続きを行うものである。この精算装置１４は、応対ロボット１２毎に設置されるため、宿泊者が応対ロボット１２により精算手続きを促された場合に、直ぐに精算装置１４により精算手続きを行うことができる。又、データ管理手段１６は、宿泊者情報の保持及び管理を行うものであり、宿泊者情報には、宿泊業務に必要な宿泊者の各情報が含まれている。そして、データ管理手段１６は、精算装置１４を介して行われた精算手続きに応じて、宿泊者情報を更新する。
本発明の実施の形態に係る宿泊手続き補助システム１０は、上記のような構成であるため、宿泊手続きを行う宿泊者は、フロントカウンターにおいて応対ロボット１２による接客を受けながら、精算装置１４によりスムーズに手続きを行うことができる。従って、応対ロボット１２等によって魅力を向上させながらも、フロント業務の一部を自動化することで、人件費の削減を図ることが可能となる。
【００６０】
又、本発明の実施の形態に係る宿泊手続き補助システム１０は、更に、従業員補助装置３０を含んでおり、この従業員補助装置３０は、宿泊施設の従業員による宿泊手続きの確認作業を補助するために、撮影手段３２（３２Ａ、３２Ｂ）、表示手段３４、音声入出力手段３６（３６Ａ、３６Ｂ）、及び、アクセス手段３８を備えている。すなわち、撮影手段３２によってフロントカウンターの様子を撮影し、その撮影した映像を表示手段３４に表示することで、従業員は、表示手段３４を介して、フロントカウンターへの宿泊者の接近、宿泊手続きの進行状況、不審者の有無等を確認することができる。又、音声入出力手段３６により音声通信を行うことで、従業員は、例えば宿泊手続きが円滑に進んでいない場合等に、音声入出力手段３６を介してフロントカウンターにいる宿泊者と会話を行い、宿泊手続きの説明等を行うことができる。
【００６１】
更に、従業員は、アクセス手段３８を介して、データ管理手段１６により保持されている宿泊者情報にアクセスすることで、宿泊手続きを行っている宿泊者の予約状況や精算状況等を確認することができる。これにより、応対ロボット１２及び精算装置１４で対応している宿泊手続きを、従業員補助装置３０を利用する従業員によって、常に万全にバックアップすることが可能となり、サービスの質の低下を防止することができる。又、図１の例のように、応対ロボット１２が設置されたフロントカウンター毎に、撮影手段３２や音声入出力手段３６を設置することで、複数のフロントカウンターの様子を、従業員補助装置３０を介して同時に確認することができ、更に、特に問題が起きなければ、宿泊者と従業員とが直接やり取りをする必要はない。このため、バックアップを行う従業員の人数を、フロントカウンターの数より少なく抑えることができ、人件費の削減を図ることが可能となる。
【００６２】
又、本発明の実施の形態に係る宿泊手続き補助システム１０は、応対ロボット１２が設置されているフロントカウンター毎に、フロントカウンターに近づいた宿泊者を検知する人感センサ２２（２２Ａ、２２Ｂ）と、応対ロボット１２が出力する音声の言語（例えば、日本語、英語等）を選択するための言語選択手段２４（２４Ａ、２４Ｂ）とを備えているものである。このため、応対ロボット１２は、人感センサ２２により宿泊者が検知されたことをトリガとして（図２のＳ１０）、宿泊者に対する歓迎のメッセージと、言語選択手段２４を介した言語選択操作を促すメッセージとを音声出力する（図２のＳ２０、Ｓ３０）。これにより、宿泊者がフロントカウンターに近づいたタイミングに合わせて、歓迎のメッセージを音声出力することができる。そして、言語選択手段２４を介して宿泊者により言語が選択されると、応対ロボット１２は、音声出力の言語を選択された言語へと設定し（図２のＳ５０）、次に別の言語が選択されるまで、設定した言語によって音声出力を行う。これにより、応対ロボット１２は、宿泊者が所望する言語を使用して応対を行うことができるため、音声出力の内容が宿泊者に理解され易くなり、宿泊手続きをより円滑に進行させることが可能となる。
【００６３】
又、本発明の実施の形態に係る宿泊手続き補助システム１０は、応対ロボット１２毎に、例えばフロントカウンターに隣接して設置される宿泊者カード回収部２６（２６Ａ、２６Ｂ）を含んでいるものである。この宿泊者カード回収部２６は、宿泊者により記入された宿泊者カードを回収するものであり、例えば、宿泊者カードが投函される投函口と、宿泊者カードを収容する収容部とを有している。更に、宿泊者カード回収部２６は、宿泊者カードが投函されたことを検知する投函センサ２８を備えている。そして、応対ロボット１２は、チェックイン手続きを行う宿泊者に対して、宿泊者カードへの記入を促すメッセージと、記入した宿泊者カードの宿泊者カード回収部への投函を促すメッセージとを音声出力する（図２のＳ９０）。その後、応対ロボット１２は、宿泊者カード回収部２６の投函センサ２８によって、宿泊者カード回収部２６への宿泊者カードの投函が検知されたことをトリガとして（図２のＳ１００）、精算装置１４においてチェックイン手続きを行うことを促すメッセージを、宿泊者に対して音声出力する（図２のＳ１１０）。これにより、宿泊者カードを効率よく回収することができると共に、精算装置１４によるチェックイン手続きを、適切なタイミングで促すことができる。
【００６４】
更に、本発明の実施の形態に係る宿泊手続き補助システム１０は、宿泊者の入力操作に応じて（図３のＳ２００、Ｓ２１０）、精算装置１４によりチェックイン手続きとチェックアウト手続きとを実行する。すなわち、宿泊者によりチェックイン手続きが入力されると、精算装置１４は、宿泊者に対して宿泊者を特定するための情報（例えば宿泊者の氏名等）の入力を促す（図３のＳ２３０）。精算装置１４に対して宿泊者を特定するための情報が入力されると、データ管理手段１６は、精算装置１４に入力された情報に基づいて、保持している宿泊者情報の中から、チェックイン手続きを行っている当該宿泊者の宿泊者情報を検索する（図４のＳ５３０、Ｓ５４０）。そして、精算装置１４は、データ管理手段１６において検索された当該宿泊者の宿泊者情報を参照し（図３のＳ２５０）、参照した当該宿泊者の宿泊者情報に基づいて、当該宿泊者の宿泊代金の精算状況の確認を行う（図３のＳ２６０）。その結果、Ｗｅｂ上のクレジット決済等により、既に宿泊代金が精算されていることが確認された場合は、当該宿泊者に割り当てられた、当該宿泊者の予約内容に適合した客室のルームキーを、即座に発行する（図３のＳ３００）。又、宿泊代金が未精算であることが確認された場合は、宿泊代金の精算手続きを促し（図３のＳ２８０）、当該宿泊者からの入金操作を受けて、宿泊代金の精算手続きを行った後に、ルームキーを発行する。
【００６５】
一方、宿泊者によりチェックアウト手続きが入力されると、精算装置１４は、例えば宿泊者にルームキーを挿入するように促し（図３のＳ３３０）、ルームキーから宿泊者を特定するための情報（例えば客室番号等）を読み取る。すると、データ管理手段１６は、精算装置１４によりルームキーから読み取られた宿泊者を特定するための情報に基づいて、保持している宿泊者情報の中から、チェックアウト手続きを行っている当該宿泊者の宿泊者情報を検索する（図４のＳ５９０、Ｓ６００）。そして、精算装置１４は、データ管理手段１６において検索された当該宿泊者の宿泊者情報を参照し（図３のＳ３５０）、参照した当該宿泊者の宿泊者情報に基づいて、追加代金の精算状況の確認を行う（図３のＳ３６０）。その結果、追加代金が精算済みであることが確認された場合は、チェックアウト手続きの終了を示すメッセージを即座に表示する（図３のＳ４１０）と共に、挿入されていたルームキーをそのまま回収する（図３のＳ４００）。又、追加代金が未精算であることが確認された場合は、追加代金の精算手続きを促し（図３のＳ３８０）、当該宿泊者からの入金操作を受けて、追加代金の精算手続きを行った後に、チェックアウト手続きの終了を示すメッセージの表示、及び、ルームキーの回収を行う。このような構成であるため、本発明の実施の形態に係る宿泊手続き補助システム１０は、精算装置１４によるチェックイン及びチェックアウトの手続きを、より円滑に進めることが可能となる。
【００６６】
又、本発明の実施の形態に係る宿泊手続き補助システム１０は、データ管理手段１６によって保持及び管理する宿泊者情報に、宿泊者の氏名と、宿泊代金及び追加代金の精算状況と、宿泊者の宿泊予約ステータスとが含まれているものである。すなわち、宿泊者の氏名は、宿泊者を特定するために用いられ（図４のＳ５３０、Ｓ５４０）、精算状況は、精算手続きを行うために精算装置１４によって参照される（図３のＳ２５０、Ｓ３５０）と共に、精算手続きが行われた場合に更新される（図４のＳ５６０、Ｓ６２０）。又、宿泊予約ステータスは、宿泊を予約した宿泊者の現在のステータスを示すものであり、日時の経過や、精算装置１４により受けた精算手続き等に応じて、例えば、宿泊施設に滞在していることを示す「滞在状態」や、チェックアウト手続きを行って宿泊施設を出発したことを示す「出発済み」といったステータスが設定される（図４のＳ５８０、Ｓ６４０）。宿泊予約ステータスは、例えば、宿泊施設の従業員によって確認される。従って、本発明の実施の形態に係る宿泊手続き補助システム１０は、宿泊者情報に上記のような情報が含まれていることで、宿泊手続きを効率よく行うことが可能となる。
【符号の説明】
【００６７】
１０：宿泊手続き補助システム、１２（１２Ａ、１２Ｂ）：応対ロボット、１４（１４Ａ、１４Ｂ）：精算装置、１６：データ管理手段、１８：可動部、２０：音声出力手段、２２（２２Ａ、２２Ｂ）：人感センサ、２４（２４Ａ、２４Ｂ）：言語選択手段、２６（２６Ａ、２６Ｂ）：宿泊者カード回収部、２８：投函センサ、３０：従業員補助装置、３２：撮影手段、３４：表示手段、３６：音声入出力手段、３８：アクセス手段
【図１】
2017111489.tif 000003
【図２】
2017111489.tif 000004
【図３】
2017111489.tif 000005
【図４】
2017111489.tif 000006
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
宿泊施設における宿泊手続きを補助するシステムであって、
前記宿泊施設のフロントカウンターに設置され、宿泊者に対する応対を行う少なくとも１台の応対ロボットと、該応対ロボット毎に設置され、精算手続きを行うための精算装置と、宿泊者に係る宿泊者情報の保持及び管理を行うデータ管理手段とを含み、
前記応対ロボットは、複数の可動部と音声出力手段とを備え、前記複数の可動部の動作を組み合わせながら、前記音声出力手段から出力する音声によって、宿泊者に対して宿泊手続きに係る各作業を促し、
前記精算装置は、宿泊者からの入力操作を受けて、前記データ管理手段から参照する前記宿泊者情報に基づいて精算手続きを行い、
前記データ管理手段は、前記精算装置を介して行われた精算手続きに応じて、前記宿泊者情報を更新し、
前記応対ロボットは、前記複数の可動部として動作する頭部と胴体部と腕部とを備え、前記頭部の動作による顔の表情の変化と、前記胴体部の動作による身振りと、前記腕部の動作による手振りとのうち、少なくとも１つを交えながら、前記音声出力手段から出力する音声によって、宿泊者に対して宿泊手続きに係る各作業を促すものであり、
更に、前記宿泊施設の従業員による宿泊手続きの確認作業を補助する従業員補助装置を含み、
該従業員補助装置は、前記フロントカウンターの様子を撮影する撮影手段と、該撮影手段により撮影された映像を従業員に対して表示する表示手段と、前記フロントカウンターにいる宿泊者と従業員との間で音声通信を行うための音声入出力手段と、前記データ管理手段により保持されている前記宿泊者情報にアクセスするアクセス手段と、を備え、
更に、前記少なくとも１台の応対ロボット毎に、前記フロントカウンターに人感センサと言語選択手段とを備え、
前記応対ロボットは、前記人感センサによる宿泊者の検知をトリガとして、宿泊者に対する歓迎のメッセージと言語選択操作を促すメッセージとを音声出力し、前記言語選択手段を介して宿泊者により言語が選択された後、該選択された言語へと音声出力の言語を設定することを特徴とする宿泊手続き補助システム。
【請求項２】
前記精算装置は、
宿泊者の入力操作に応じて、チェックイン手続きとチェックアウト手続きとを実行するものであり、
前記チェックイン手続きにおいて、宿泊者から宿泊者を特定するための情報の入力を受けた後、前記データ管理手段において検索された前記宿泊者情報に基づいて宿泊代金の精算状況の確認を行い、宿泊代金が精算済みである場合は、宿泊者が宿泊する客室のルームキーを即座に発行し、宿泊代金が未精算である場合は、宿泊者からの入金操作を受けて宿泊代金の精算手続きを行った後、前記ルームキーを発行し、
前記チェックアウト手続きにおいて、前記ルームキーから宿泊者を特定するための情報を読み取った後、前記データ管理手段において検索された前記宿泊者情報に基づいて追加代金の精算状況の確認を行い、追加代金が精算済みである場合は、チェックアウト手続きの終了を示すメッセージを即座に表示すると共に前記ルームキーを回収し、追加代金が未精算である場合は、宿泊者からの入金操作を受けて追加代金の精算手続きを行った後、チェックアウト手続きの終了を示すメッセージを表示すると共に前記ルームキーを回収し、
前記データ管理手段は、前記精算装置での前記チェックイン手続きにおいて、前記精算装置に対して入力された宿泊者を特定するための情報に基づき、チェックイン手続きを行っている宿泊者の前記宿泊者情報を検索し、前記精算装置での前記チェックアウト手続きにおいて、前記精算装置により前記ルームキーから読み取られた宿泊者を特定するための情報に基づき、チェックアウト手続きを行っている宿泊者の前記宿泊者情報を検索することを特徴とする請求項１記載の宿泊手続き補助システム。
【請求項３】
前記少なくとも１台の応対ロボット毎に、投函センサを備えた宿泊者カード回収部を含み、
前記応対ロボットは、チェックイン時の動作として、宿泊者に対して宿泊者カードへの記入及び宿泊者カードの投函を促すメッセージを音声出力し、前記投函センサによる前記宿泊者カード回収部への宿泊者カードの投函検知をトリガとして、前記精算装置によるチェックイン手続きを促すメッセージを音声出力することを特徴とする請求項１又は２記載の宿泊手続き補助システム。
【請求項４】
前記データ管理手段は、前記宿泊者情報として、宿泊者の氏名と、宿泊代金及び追加代金の精算状況と、宿泊者の宿泊予約ステータスとを含む情報を管理していることを特徴とする請求項１から３の何れか１項記載の宿泊手続き補助システム。
【手続補正２】
【補正対象書類名】明細書
【補正対象項目名】０００３
【補正方法】変更
【補正の内容】
【０００３】
【特許文献１】特開２００４−３５５０９７号公報
【手続補正３】
【補正対象書類名】明細書
【補正対象項目名】０００６
【補正方法】変更
【補正の内容】
【０００６】
（１）宿泊施設における宿泊手続きを補助するシステムであって、前記宿泊施設のフロントカウンターに設置され、宿泊者に対する応対を行う少なくとも１台の応対ロボットと、該応対ロボット毎に設置され、精算手続きを行うための精算装置と、宿泊者に係る宿泊者情報の保持及び管理を行うデータ管理手段とを含み、前記応対ロボットは、複数の可動部と音声出力手段とを備え、前記複数の可動部の動作を組み合わせながら、前記音声出力手段から出力する音声によって、宿泊者に対して宿泊手続きに係る各作業を促し、前記精算装置は、宿泊者からの入力操作を受けて、前記データ管理手段から参照する前記宿泊者情報に基づいて精算手続きを行い、前記データ管理手段は、前記精算装置を介して行われた精算手続きに応じて、前記宿泊者情報を更新する宿泊手続き補助システム。
【手続補正４】
【補正対象書類名】明細書
【補正対象項目名】０００９
【補正方法】変更
【補正の内容】
【０００９】
（２）上記（１）項において、前記宿泊施設の従業員による宿泊手続きの確認作業を補助する従業員補助装置を含み、該従業員補助装置は、前記フロントカウンターの様子を撮影する撮影手段と、該撮影手段により撮影された映像を従業員に対して表示する表示手段と、前記フロントカウンターにいる宿泊者と従業員との間で音声通信を行うための音声入出力手段と、前記データ管理手段により保持されている前記宿泊者情報にアクセスするアクセス手段と、を備える宿泊手続き補助システム。
【手続補正５】
【補正対象書類名】明細書
【補正対象項目名】００１２
【補正方法】変更
【補正の内容】
【００１２】
（３）上記（２）項において、前記少なくとも１台の応対ロボット毎に、前記フロントカウンターに人感センサと言語選択手段とを備え、前記応対ロボットは、前記人感センサによる宿泊者の検知をトリガとして、宿泊者に対する歓迎のメッセージと言語選択操作を促すメッセージとを音声出力し、前記言語選択手段を介して宿泊者により言語が選択された後、該選択された言語へと音声出力の言語を設定する宿泊手続き補助システム（請求項１）。
【手続補正６】
【補正対象書類名】明細書
【補正対象項目名】００１３
【補正方法】変更
【補正の内容】
【００１３】
本項に記載の宿泊手続き補助システムは、応対ロボットが設置されているフロントカウンター毎に、フロントカウンターに近づいた宿泊者を検知する人感センサと、応対ロボットが出力する音声の言語（例えば、日本語、英語等）を選択するための言語選択手段とを備えているものである。このため、応対ロボットは、人感センサにより宿泊者が検知されたことをトリガとして、宿泊者に対する歓迎のメッセージと、言語選択手段を介した言語選択操作を促すメッセージとを音声出力する。これにより、宿泊者がフロントカウンターに近づいたタイミングに合わせて、歓迎のメッセージが音声出力される。そして、言語選択手段を介して宿泊者により言語が選択されると、応対ロボットは、音声出力の言語を選択された言語へと設定し、次に別の言語が選択されるまで、設定した言語によって音声出力を行う。これにより、応対ロボットは、宿泊者が所望する言語を使用して応対を行うことになるため、音声出力の内容が宿泊者に理解され易くなり、宿泊手続きがより円滑に進行される。
【手続補正７】
【補正対象書類名】明細書
【補正対象項目名】００１４
【補正方法】変更
【補正の内容】
【００１４】
（４）上記（３）項において、前記精算装置は、宿泊者の入力操作に応じて、チェックイン手続きとチェックアウト手続きとを実行するものであり、前記チェックイン手続きにおいて、宿泊者から宿泊者を特定するための情報の入力を受けた後、前記データ管理手段において検索された前記宿泊者情報に基づいて宿泊代金の精算状況の確認を行い、宿泊代金が精算済みである場合は、宿泊者が宿泊する客室のルームキーを即座に発行し、宿泊代金が未精算である場合は、宿泊者からの入金操作を受けて宿泊代金の精算手続きを行った後、前記ルームキーを発行し、前記チェックアウト手続きにおいて、前記ルームキーから宿泊者を特定するための情報を読み取った後、前記データ管理手段において検索された前記宿泊者情報に基づいて追加代金の精算状況の確認を行い、追加代金が精算済みである場合は、チェックアウト手続きの終了を示すメッセージを即座に表示すると共に前記ルームキーを回収し、追加代金が未精算である場合は、宿泊者からの入金操作を受けて追加代金の精算手続きを行った後、チェックアウト手続きの終了を示すメッセージを表示すると共に前記ルームキーを回収し、前記データ管理手段は、前記精算装置での前記チェックイン手続きにおいて、前記精算装置に対して入力された宿泊者を特定するための情報に基づき、チェックイン手続きを行っている宿泊者の前記宿泊者情報を検索し、前記精算装置での前記チェックアウト手続きにおいて、前記精算装置により前記ルームキーから読み取られた宿泊者を特定するための情報に基づき、チェックアウト手続きを行っている宿泊者の前記宿泊者情報を検索する宿泊手続き補助システム（請求項２）。
【手続補正８】
【補正対象書類名】明細書
【補正対象項目名】００１５
【補正方法】変更
【補正の内容】
【００１５】
本項に記載の宿泊手続き補助システムは、宿泊者の入力操作に応じて、精算装置によりチェックイン手続きとチェックアウト手続きとを実行する。すなわち、宿泊者によりチェックイン手続きが入力されると、精算装置は、宿泊者に対して宿泊者を特定するための情報（例えば宿泊者の氏名等）の入力を促す。精算装置に対して宿泊者を特定するための情報が入力されると、データ管理手段は、精算装置に入力された情報に基づいて、保持している宿泊者情報の中から、チェックイン手続きを行っている当該宿泊者の宿泊者情報を検索する。そして、精算装置は、データ管理手段において検索された当該宿泊者の宿泊者情報を参照し、参照した当該宿泊者の宿泊者情報に基づいて、当該宿泊者の宿泊代金の精算状況の確認を行う。その結果、Ｗｅｂ上のクレジット決済等により、既に宿泊代金が精算されていることが確認された場合は、当該宿泊者に割り当てられた、当該宿泊者の予約内容に適合した客室のルームキーを、即座に発行する。又、宿泊代金が未精算であることが確認された場合は、宿泊代金の精算手続きを促し、当該宿泊者からの入金操作を受けて、宿泊代金の精算手続きを行った後に、ルームキーを発行する。
【手続補正９】
【補正対象書類名】明細書
【補正対象項目名】００１６
【補正方法】変更
【補正の内容】
【００１６】
一方、宿泊者によりチェックアウト手続きが入力されると、精算装置は、例えば宿泊者にルームキーを挿入するように促し、ルームキーから宿泊者を特定するための情報（例えば客室番号等）を読み取る。すると、データ管理手段は、精算装置によりルームキーから読み取られた宿泊者を特定するための情報に基づいて、保持している宿泊者情報の中から、チェックアウト手続きを行っている当該宿泊者の宿泊者情報を検索する。そして、精算装置は、データ管理手段において検索された当該宿泊者の宿泊者情報を参照し、参照した当該宿泊者の宿泊者情報に基づいて、追加代金の精算状況の確認を行う。その結果、追加代金が精算済みであることが確認された場合は、チェックアウト手続きの終了を示すメッセージを即座に表示すると共に、挿入されていたルームキーをそのまま回収する。又、追加代金が未精算であることが確認された場合は、追加代金の精算手続きを促し、当該宿泊者からの入金操作を受けて、追加代金の精算手続きを行った後に、チェックアウト手続きの終了を示すメッセージの表示、及び、ルームキーの回収を行う。このような構成であるため、本項に記載の宿泊手続き補助システムは、精算装置によるチェックイン及びチェックアウトの手続きが、より円滑に進むものとなる。
【手続補正１０】
【補正対象書類名】明細書
【補正対象項目名】００１７
【補正方法】変更
【補正の内容】
【００１７】
（５）上記（３）（４）項において、前記少なくとも１台の応対ロボット毎に、投函センサを備えた宿泊者カード回収部を含み、前記応対ロボットは、チェックイン時の動作として、宿泊者に対して宿泊者カードへの記入及び宿泊者カードの投函を促すメッセージを音声出力し、前記投函センサによる前記宿泊者カード回収部への宿泊者カードの投函検知をトリガとして、前記精算装置によるチェックイン手続きを促すメッセージを音声出力する宿泊手続き補助システム（請求項３）。
【手続補正１１】
【補正対象書類名】明細書
【補正対象項目名】００１９
【補正方法】変更
【補正の内容】
【００１９】
（６）上記（３）から（５）項において、前記データ管理手段は、前記宿泊者情報として、宿泊者の氏名と、宿泊代金及び追加代金の精算状況と、宿泊者の宿泊予約ステータスとを含む情報を管理している宿泊手続き補助システム（請求項４）。
本項に記載の宿泊手続き補助システムは、データ管理手段によって保持及び管理する宿泊者情報に、宿泊者の氏名と、宿泊代金及び追加代金の精算状況と、宿泊者の宿泊予約ステータスとが含まれているものである。すなわち、宿泊者の氏名は、宿泊者を特定するために用いられ、精算状況は、精算手続きを行うために精算装置によって参照されると共に、精算手続きが行われた場合に更新される。又、宿泊予約ステータスは、宿泊を予約した宿泊者の現在のステータスを示すものであり、日時の経過や、精算装置により受けた精算手続き等に応じて、例えば、宿泊施設に滞在していることを示す「滞在状態」や、チェックアウト手続きを行って宿泊施設を出発したことを示す「出発済み」といったステータスが設定される。宿泊予約ステータスは、例えば、宿泊施設の従業員によって確認される。従って、本項に記載の宿泊手続き補助システムは、宿泊者情報に上記のような情報が含まれていることで、宿泊手続きが効率よく行われることとなる。
【手続補正１２】
【補正対象書類名】明細書
【補正対象項目名】００２４
【補正方法】変更
【補正の内容】
【００２４】
又、応対ロボット１２は、図１の例では、応対ロボット１２毎に例えばフロントカウンター上に設置される言語選択手段２４を介して、宿泊者により選択された言語を音声出力する。すなわち、応対ロボット１２Ａは、言語選択手段２４Ａを介して選択された言語を音声出力し、応対ロボット１２Ｂは、言語選択手段２４Ｂを介して選択された言語を音声出力する。応対ロボット１２が音声出力する言語（言語選択手段２４において選択可能な言語）には、日本語、英語、その他の言語等、宿泊者によって比較的多く使用されている言語が含まれる。言語選択手段２４は、例えば、言語毎に設置されるボタンによって言語が選択されるものであってもよく、タブレット型等の小型端末を利用したものであってもよい。